(57)【要約】【課題】プラグ抜差し面の向きを上向き及び前向きに変えることができながら、側面視及び背面視においても外観が滑らかなすっきりした印象を与えて美観を向上できる天板用コンセントボックスを提供する。【解決手段】コンセントプラグが抜き差しされる差込み口Ｓを備えたコンセントボックス本体２、及び、コンセントボックス本体２を支持するとともに、家具の天板を挟持するためのクランプ金具５を有する支持手段３からなる天板用コンセントボックス１であって、コンセントボックス本体２が、差込み口Ｓを備えた面であるプラグ抜差し面Ｇを前向きとした前向き形態、及びプラグ抜差し面Ｇを上向きとした上向き形態で支持手段３に取付け可能であり、前記前向き形態及び前記上向き形態の両方の形態において、コンセントボックス本体２の背面Ｒ１及び支持手段３の背面Ｒ２が面一になる。【選択図】図８
2017091668.tif 000002
【特許請求の範囲】
【請求項１】
コンセントプラグが抜き差しされる差込み口を備えたコンセントボックス本体、及び、前記コンセントボックス本体を支持するとともに、家具の天板を挟持するためのクランプ金具を有する支持手段からなる天板用コンセントボックスであって、
前記コンセントボックス本体が、前記差込み口を備えた面であるプラグ抜差し面を前向きとした前向き形態、及び前記プラグ抜差し面を上向きとした上向き形態で、前記支持手段に取付け可能であり、前記前向き形態及び前記上向き形態の両方の形態において、前記コンセントボックス本体の背面及び前記支持手段の背面が面一になることを特徴とする天板用コンセントボックス。
【請求項２】
前記前向き形態の前記コンセントボックス本体に、その底面後部から背面下部にわたる左右方向中間部分を掘り込んだ形態の直方体状の嵌合凹部を形成するとともに、前記支持手段の上部に前記嵌合凹部に嵌合する嵌合凸部を形成し、
前記嵌合凹部を形成する前記コンセントボックス本体の内壁面、及び前記嵌合凸部を形成する前記支持手段の外壁面に、前記コンセントボックス本体及び前記支持手段を連結する連結手段を設け、
前記コンセントボックス本体の前記前向き形態及び前記上向き形態の両方の形態において、前記嵌合凹部及び前記嵌合凸部を凹凸嵌合させて前記連結手段により前記コンセントボックス本体及び前記支持手段を連結する請求項１記載の天板用コンセントボックス。
【請求項３】
前記連結手段が、前記コンセントボックス本体の前記嵌合凹部を形成する左右内壁面に設けられた係止穴、及び、前記支持手段の前記嵌合凸部を形成する左右外壁面に設けられ、左右方向へ弾性支持された弾性係止片からなり、
前記弾性係止片は、下方に行くにしたがって左右方向外方へ傾斜する傾斜面を有する、前記係止穴に係止する係止凸部を備えたものであり、
前記支持手段の前記左右外壁面の前記弾性係止片の下方に、前記弾性係止片を左右方向内方へ移動させて前記係止穴及び前記係止凸部の係止を解除する押圧操作片を備えてなる請求項２記載の天板用コンセントボックス。
【請求項４】
前記前向き形態の前記コンセントボックス本体の底面に、ケーブルを保持するケーブル保持手段を設けてなる請求項１又は２記載の天板用コンセントボックス。
【発明の詳細な説明】
【技術分野】
【０００１】
本発明は、家具の天板に取り付けて使用する天板用コンセントボックスに関する。
【背景技術】
【０００２】
デスク又はテーブル等の家具の天板に取り付けて使用する天板用コンセントボックスにおいて、配線挿通孔又は切欠が無い天板にも取り付けることができるように、天板を挟持するためのコ字状（チャンネル状）のクランプ金具を有する支持手段を備えたものがある（例えば、特許文献１ないし３参照）。
ここで、これらの天板用コンセントボックスにおいて、コンセントボックス本体におけるプラグの抜差しを行う面（以下、「プラグ抜差し面」という）の向きに着目すると、特許文献１の構成では前方斜め上向きに固定され（図１参照）、特許文献２の構成では前向き及び前方斜め上向きに変えることができ（図１及び図７参照）、特許文献３の構成では上向き及び前向きに変えることができる（斜視図及びケース部の向きを変えた状態を示す斜視図参照）。
【先行技術文献】
【特許文献】
【０００３】
【特許文献１】特許第４６９７１０９号公報
【特許文献２】特許第５３０２０１３号公報
【特許文献３】意匠登録第１５２５８９６号公報
【発明の概要】
【発明が解決しようとする課題】
【０００４】
特許文献１のような天板用コンセントボックスの構成では、プラグ抜差し面の向きが前方斜め上向きに固定されるので、天板上のＯＡ機器等の使用態様によっては使い勝手が良くない場合がある。
また、特許文献２のような天板用コンセントボックスの構成では、プラグ抜差し面の向きを前向き及び前方斜め上向きに変えることができるが、プラグ抜差し面の向きの変更範囲が小さいので（例えば、図５及び図８参照）、天板上のＯＡ機器等の使用態様によっては使い勝手の向上が図れない場合がある。その上、プラグ抜差し面の向きを変更するための構造が複雑になり、部品点数が多くなるので製造コストが増大する。その上さらに、構造上、支持手段（取付装置）の上部が露出するとともに、天板上面からコンセントボックス本体（底面板の下面）までの距離が大きくなるので、外観の印象が滑らかなすっきりしたものではない。
【０００５】
これらの天板用コンセントボックスの構成に対して特許文献３のような天板用コンセントボックスの構成では、プラグ抜差し面の向きを上向き及び前向きに変えることができることから、プラグ抜差し面の向きの変更範囲が大きくなるので、天板上のＯＡ機器等の使用態様に応じた使い勝手の向上が図りやすくなるという特徴がある。
しかしながら、プラグ抜差し面の向きが上向きの形態及び前向きの形態の何れにおいても、コンセントボックス本体の背面から後方へ突出する部分や部品があるので（例えば、右側面図及びケースの向きを変えた状態を示す右側面図、並びに背面図及びケースの向きを変えた状態を示す背面図参照）、特に側面視及び背面視において外観の印象が滑らかなすっきりしたものではなく、美観をより向上するという観点で見ると改良の余地がある。
その上、プラグ抜差し面の向きを上向き及び前向きに変える構造の詳細は不明であるが、プラグ抜差し面の向きを上向き及び前向きに変える操作を容易にするという観点で見ても改良の余地があると考えられる。
【０００６】
そこで本発明が前述の状況に鑑み、解決しようとするところは、プラグ抜差し面の向きを上向き及び前向きに変えることができながら、側面視及び背面視においても外観が滑らかなすっきりした印象を与えて美観を向上でき、プラグ抜差し面の向きを変える操作が容易な天板用コンセントボックスを提供する点にある。
【課題を解決するための手段】
【０００７】
本発明に係る天板用コンセントボックスは、前記課題解決のために、コンセントプラグが抜き差しされる差込み口を備えたコンセントボックス本体、及び、前記コンセントボックス本体を支持するとともに、家具の天板を挟持するためのクランプ金具を有する支持手段からなる天板用コンセントボックスであって、前記コンセントボックス本体が、前記差込み口を備えた面であるプラグ抜差し面を前向きとした前向き形態、及び前記プラグ抜差し面を上向きとした上向き形態で、前記支持手段に取付け可能であり、前記前向き形態及び前記上向き形態の両方の形態において、前記コンセントボックス本体の背面及び前記支持手段の背面が面一になることを特徴とする。
【０００８】
このような構成によれば、コンセントボックス本体を、前記前向き形態及び前記上向き形態に変更できることから、プラグ抜差し面の向きの変更範囲が大きくなるので、天板上のＯＡ機器等の使用態様に応じた使い勝手の向上が図りやすくなる。
その上、コンセントボックス本体の前記前向き形態及び前記上向き形態の両方の形態において、コンセントボックス本体の背面、及び、家具の天板を挟持するためのクランプ金具を有する支持手段の背面が面一になることから、側面視及び背面視においても外観の印象が滑らかなすっきりしたものとなるので、家具の天板も含めた外観において一体感を出すことができるとともに、美観をより向上することができる。
【０００９】
ここで、前記前向き形態の前記コンセントボックス本体に、その底面後部から背面下部にわたる左右方向中間部分を掘り込んだ形態の直方体状の嵌合凹部を形成するとともに、前記支持手段の上部に前記嵌合凹部に嵌合する嵌合凸部を形成し、前記嵌合凹部を形成する前記コンセントボックス本体の内壁面、及び前記嵌合凸部を形成する前記支持手段の外壁面に、前記コンセントボックス本体及び前記支持手段を連結する連結手段を設け、前記コンセントボックス本体の前記前向き形態及び前記上向き形態の両方の形態において、前記嵌合凹部及び前記嵌合凸部を凹凸嵌合させて前記連結手段により前記コンセントボックス本体及び前記支持手段を連結するのが好ましい。
【００１０】
このような構成によれば、コンセントボックス本体の前記前向き形態及び前記上向き形態の両方の形態において、コンセントボックス本体の嵌合凹部及び支持手段の嵌合凸部を凹凸嵌合させた状態で連結手段により連結するので、コンセントボックス本体が、支持手段により安定且つ確実に支持されるとともに支持手段と強固に連結される。
【００１１】
ここで、前記連結手段が、前記コンセントボックス本体の前記嵌合凹部を形成する左右内壁面に設けられた係止穴、及び、前記支持手段の前記嵌合凸部を形成する左右外壁面に設けられ、左右方向へ弾性支持された弾性係止片からなり、前記弾性係止片は、下方に行くにしたがって左右方向外方へ傾斜する傾斜面を有する、前記係止穴に係止する係止凸部を備えたものであり、前記支持手段の前記左右外壁面の前記弾性係止片の下方に、前記弾性係止片を左右方向内方へ移動させて前記係止穴及び前記係止凸部の係止を解除する押圧操作片を備えてなるのが好ましい。
【００１２】
このような構成によれば、連結手段によりコンセントボックス本体を支持手段に連結した状態で、一方の手で左右の押圧操作片を左右方向内方へ押圧することにより係止穴及び係止凸部の係止が解除され、連結手段が非作動状態になるので、他方の手でコンセントボックス本体を上方へ移動させることにより、コンセントボック本体を支持手段から容易に取り外すことができる。
その上、コンセントボック本体を支持手段から取り外した状態で、コンセントボックス本体のプラグ抜差し面を上向きにした状態又は前向きにした状態で、支持手段に対してコンセントボックス本体を上方から近づけて嵌合凹部を嵌合凸部に嵌合させることにより、支持手段の係止凸部がコンセントボックス本体の係止穴に係止し、連結手段が作動状態になるので、コンセントボックス本体の支持手段への連結が完了する。
このようにコンセントボックス本体を支持手段に対して容易に脱着できることから、コンセントボックス本体のプラグ抜差し面の向きを上向き及び前向きに変える操作が非常に容易になる。
【００１３】
また、前記前向き形態の前記コンセントボックス本体の底面に、ケーブルを保持するケーブル保持手段を設けてなるのが一層好ましい。
このような構成によれば、前記前向き形態ではコンセントボックス本体の底面にケーブル保持手段があり、前記上向き形態ではコンセントボックス本体の背面にケーブル保持手段があることから、電源コンセント、情報コンセント及び映像コンセント等の所要のコンセントを備えたコンセントボックスにおいて、ケーブル保持手段によりコネクタ等を備えたケーブルをさらに保持できるので、天板用コンセントボックスの使い勝手が一層向上する。
【発明の効果】
【００１４】
以上のような本発明に係る天板用コンセントボックスによれば、以下に示すような効果を奏するので、使用価値を向上できる。
（１）プラグ抜差し面の向きの変更範囲が大きくなるので、天板上のＯＡ機器等の使用態様に応じた使い勝手の向上が図りやすくなる。
（２）側面視及び背面視においても外観の印象が滑らかなすっきりしたものとなるので、家具の天板も含めた外観において一体感を出すことができるとともに、美観をより向上することができる。
（３）コンセントボックス本体を支持手段に対して容易に脱着できることから、コンセントボックス本体のプラグ抜差し面の向きを上向き及び前向きに変える操作が非常に容易になる。
（４）コンセントボックス本体にケーブル保持手段を設けてなるものでは、ケーブル保持手段によりコネクタ等を備えたケーブルをさらに保持できるので、天板用コンセントボックスの使い勝手が一層向上する。
【図面の簡単な説明】
【００１５】
【図１】天板用コンセントボックスが用いられた机の斜視図である。
【図２】天板用コンセントボックスにおけるプラグ抜差し面を前向きとした状態の正面図である。
【図３】同じく縦断面正面図である。
【図４】同じく左右方向中央の縦断面右側面図である。
【図５】同じく右端部の縦断面右側面図である。
【図６】コンセントボックス本体を下方から見た斜視図、及び支持手段を上方から見た斜視図です。
【図７】天板用コンセントボックスにおけるプラグ抜差し面を上向きとした状態の縦断面正面図である。
【図８】プラグ抜差し面を前向きとした状態の天板用コンセントボックスを示しており、（ａ）は前方から見た斜視図、（ｂ）は後方から見た斜視図である。
【図９】プラグ抜差し面を上向きとした状態の天板用コンセントボックスを示しており、（ａ）は前方から見た斜視図、（ｂ）は後方から見た斜視図である。
【図１０】天板の配線挿通孔を利用して天板用コンセントボックスを取り付けた例を示す斜視図である。
【発明を実施するための形態】
【００１６】
次に、本発明の実施の形態を添付図面に基づき詳細に説明するが、本発明は、添付図面に示された形態に限定されず特許請求の範囲に記載の要件を満たす実施形態の全てを含むものである。
なお、本明細書においては、天板を具備した家具（机）の天板上で作業をする人が作業時に天板に向かった状態を基準とし、その作業者の左右方向を左右とし、天板の奥行き方向の手前側を前、奥側を後とし、前方から見た図を正面図とする。
また、各構成部品の方向の定義は、天板の後端部に天板用コンセントボックスを取り付けた状態を基準として前記方向の定義に従うものとする。
【００１７】
図１の斜視図に示す天板を具備した家具である机１０は、本発明の実施の形態に係る天板用コンセントボックス１が取り付けられた天板１１、天板１１を支持する脚１２及び袖引出し１３、並びにセンター引出し１４からなり、袖引出し１３は、上段引出し１３Ａ、中段引出し１３Ｂ及び下段引出し１３Ｃを備える。
図２の正面図、図３の縦断面正面図、図４及び図５の縦断面右側面図、並びに図６の斜視図に示すように、本発明の実施の形態に係る天板用コンセントボックス１は、電源コンセント、情報コンセント及び映像コンセント等の所要のコンセントのプラグが抜き差しされる差込み口Ｓを備えた直方体状のコンセントボックス本体２、及び、コンセントボックス本体２を支持するとともに、天板１１を挟持するための側面視コ字状（チャンネル状）のクランプ金具である下支持部材５を有する支持手段３からなる。
【００１８】
なお、図６の斜視図、並びに、以下の説明で使用する、図８（ｂ）の後方から見た斜視図、及び図９（ｂ）の後方から見た斜視図において、コンセントボックス本体２における電源ケーブル等であるケーブルＣ１（図５の縦断面右側面図参照）の記載を省略している。
図６の斜視図に示すように、コンセントボックス本体２には、差込み口Ｓを備えた面であるプラグ抜差し面Ｇを前向きにした形態（以下、「前向き形態」という）で、その底面後部から背面下部にわたる左右方向中間部分を掘り込んだ形態の直方体状の嵌合凹部Ａが形成される。
また、支持手段３の上支持部材４の上部には、嵌合凹部Ａに嵌合する直方体状の嵌合凸部Ｂが形成される。
【００１９】
天板用コンセントボックス１は、後述する操作により、図８（ａ）の斜視図に示すような前向き形態、及び図９（ａ）の斜視図に示すようなプラグ抜差し面Ｇを上向きにした形態（以下、「上向き形態」という）に容易に変更できることから、プラグ抜差し面Ｇの向きの変更範囲が大きくなるので、天板１１上のＯＡ機器等の使用態様に応じた使い勝手の向上が図りやすくなる。
【００２０】
次に、天板１１への支持手段３の取付け方法について説明する。支持手段３は、図６の斜視図のようにコンセントボックス本体２を取り外した状態で天板１１に取り付ける。
図３の縦断面正面図及び図４の縦断面右側面図に示すように、支持手段３は、上支持部材４、上側水平板ｈ１、垂直板ｖ、及び下側水平板ｈ２からなる側面視コ字状の下支持部材５、並びに、上支持部材４の通し穴４Ｂを通って下支持部材５の上側水平板ｈ１のねじ穴５Ａに螺合し、その頭部が上支持部材４の上方に位置したローレットビス６からなる。
【００２１】
図１の斜視図のような天板１１の後端部における天板用コンセントボックス１を配置する適宜位置において、図３の縦断面正面図及び図４の縦断面右側面図に示すように、上支持部材４を天板１１の後端部上面に載置し、下支持部材５の垂直板ｖを天板１１の後端縁に当接させた状態にする。
この状態で、ローレットビス６を回転させ、上支持部材４に対して下支持部材５を持ち上げる。それにより、下支持部材５の下側水平板ｈ２が天板１１の下面を押圧し、上支持部材４及び下支持部材５により天板１１を挟持した状態となるので、支持手段３は天板１１の所要位置に容易に取り付けられる。
また、ローレットビス６を回転させて上支持部材４に対して下支持部材５を押し下げることにより、支持手段３を天板１１から容易に取り外すことができる。
【００２２】
次に、支持手段３へのコンセントボックス本体２の取付け方法について説明する。
コンセントボックス本体２は、その嵌合凹部Ａを支持手段３の嵌合凸部Ｂに凹凸嵌合させることにより、図８（ａ）の斜視図に示す前向き形態、又は図９（ａ）の斜視図に示す上向き形態で支持手段３に取り付けられる。
図３の縦断面正面図及び図６の斜視図に示すように、嵌合凹部Ａを形成するコンセントボックス本体２の内壁面、及び嵌合凸部Ｂを形成する支持手段３（上支持部材４）の外壁面には連結手段Ｈが設けられているので、コンセントボックス本体２の嵌合凹部Ａを支持手段３の嵌合凸部Ｂに凹凸嵌合させることにより、コンセントボックス本体２及び支持手段３は連結される。
【００２３】
このように、コンセントボックス本体２の前向き形態及び上向き形態の両方の形態において、コンセントボックス本体２の嵌合凹部Ａ及び支持手段３の嵌合凸部Ｂを凹凸嵌合させた状態で連結手段Ｈにより連結するので、コンセントボックス本体２が、支持手段３により安定且つ確実に支持されるとともに支持手段３と強固に連結される。
ここで、連結手段Ｈは、例えば、コンセントボックス本体２の嵌合凹部Ａを形成する左右内壁面に設けられた矩形状の係止穴７，７、及び、支持手段３（上支持部材４）の嵌合凸部Ｂを形成する左右外壁面に設けられ、左右方向へ弾性支持された弾性係止片８，８からなる。
また、弾性係止片８は、下方に行くにしたがって左右方向外方へ傾斜する傾斜面９Ａを有する、係止穴７に係止する係止凸部９を備える。
【００２４】
前向き形態のコンセントボックス本体２を支持手段３に取り付ける場合、図６の斜視図において、位置決め手段Ｉである上支持部材４の上面左右の位置決め凸部４Ａ，４Ａに、コンセントボックス本体２の左右の位置決め凹部２Ａ，２Ａを嵌合させるように、支持手段３上部の嵌合凸部Ｂに対し、上方からコンセントボックス本体２の嵌合凹部Ａを嵌合させる。
その際に、コンセントボックス本体２の左右の角部Ｊ，Ｊが支持手段３（上支持部材４）の左右の傾斜面９Ａ，９Ａに沿って下方へ移動するので、弾性係止片８，８が左右方向内方へ弾性変形しながら移動する。
上支持部材４の上面左右の位置決め凸部４Ａ，４Ａに、コンセントボックス本体２の下面左右の位置決め凹部２Ａ，２Ａが嵌合した状態では、弾性係止片８，８が弾性復元力により左右方向外方へ復帰するので、コンセントボックス本体２の係止穴７，７に弾性係止片８，８の係止凸部９，９が係止し、連結手段Ｈが作動状態になる。
【００２５】
同様に、上向き形態のコンセントボックス本体２を支持手段３に取り付ける場合、図６の斜視図において、位置決め手段Ｉである上支持部材４の上面左右の位置決め凸部４Ａ，４Ａに、コンセントボックス本体２の左右の位置決め凹部２Ｂ，２Ｂを嵌合させるように、支持手段３上部の嵌合凸部Ｂに対し、上方からコンセントボックス本体２の嵌合凹部Ａを嵌合させる。
その際に、コンセントボックス本体２の左右の角部Ｋ，Ｋが支持手段３（上支持部材４）の左右の傾斜面９Ａ，９Ａに沿って下方へ移動するので、弾性係止片８，８が左右方向内方へ弾性変形しながら移動する。
上支持部材４の上面左右の位置決め凸部４Ａ，４Ａに、コンセントボックス本体２の下面左右の位置決め凹部２Ｂ，２Ｂが嵌合した状態では、弾性係止片８，８が弾性復元力により左右方向外方へ復帰するので、コンセントボックス本体２の係止穴７，７に弾性係止片８，８の係止凸部９，９が係止し、連結手段Ｈが作動状態になる。
【００２６】
以上のとおり、前向き形態でコンセントボックス本体２を支持手段３に取り付ける場合、及び上向き形態でコンセントボックス本体２を支持手段３に取り付ける場合の両方とも、支持手段３に対してコンセントボックス本体２を上方から近づけて嵌合凹部Ａを嵌合凸部Ｂに嵌合させるワンタッチ操作を行うことにより連結手段Ｈが作動状態になるので、コンセントボックス本体２を支持手段３へ連結させる操作が完了する。
前向き形態及び上向き形態の両方の形態において、図４の縦断面右側面図に示すように上支持部材４の段部４Ｃ（図６の斜視図も参照）にコンセントボックス本体２の下面が当接するので、前記位置決め手段Ｉによる位置決めとも相俟って、支持手段３によりコンセントボックス本体２が安定かつ確実に支持された状態が維持される。
【００２７】
なお、前向き形態でコンセントボックス本体２を支持手段３に取り付けた場合、図３の縦断面正面図に示すように、ローレットビス６の頭部は、コンセントボックス本体２の逃がし穴２Ｃを通ってコンセントボックス本体２内に収容される。
また、上向き形態でコンセントボックス本体２を支持手段３に取り付けた場合、図７の縦断面正面図に示すように、ローレットビス６の頭部は、コンセントボックス本体２の逃がし穴２Ｄを通ってコンセントボックス本体２内に収容される。
【００２８】
図６の斜視図、並びに図３及び図７の縦断面正面図に示すように、支持手段３の上支持部材４には、その左右外壁面の弾性係止片８，８の下方に、押圧操作片Ｄ，Ｄが弾性係止片８，８と一体に設けられる。
よって、連結手段Ｈによりコンセントボックス本体２を支持手段３に連結した状態で、一方の手で左右の押圧操作片Ｄ，Ｄを左右方向内方へ押圧することにより、係止穴７，７及び係止凸部９，９の係止が解除されて連結手段Ｈが非作動状態になるので、他方の手でコンセントボックス本体２を上方へ移動させることにより、コンセントボック本体２を支持手段３から容易に取り外すことができる。
【００２９】
以上のとおり、コンセントボックス本体２を支持手段３に対して容易に脱着できることから、コンセントボックス本体２のプラグ抜差し面Ｇの向きを上向き及び前向きに変える操作が非常に容易になる。
その上、図８（ａ）の前方から見た斜視図に示すような前向き形態において、図８（ｂ）の後方から見た斜視図に示すように、コンセントボックス本体２の背面Ｒ１、及び支持手段３の背面Ｒ２が面一になる。
また、図９（ａ）の前方から見た斜視図に示すような上向き形態において、図９（ｂ）の後方から見た斜視図に示すように、コンセントボックス本体２の背面Ｒ１、及び支持手段３の背面Ｒ２が面一になる。
よって、側面視及び背面視においても外観の印象が滑らかなすっきりしたものとなるので、家具の天板も含めた外観において一体感を出すことができるとともに、美観をより向上することができる。
【００３０】
図２の正面図、及び図６の斜視図に示すように、前向き形態のコンセントボックス本体２の底面には、その左右に、ケーブルを保持するケーブル保持手段Ｅ，Ｆを設けている。
ケーブル保持手段Ｅ，Ｆにより、図４の縦断面右側面図、及び図５の縦断面右側面図に示すように、ケーブルＣ２，Ｃ３等の適宜ケーブルを保持できる。
よって、図２及び図６のような前向き形態ではコンセントボックス本体２の底面にケーブル保持手段Ｅ，Ｆがあり、図９（ｂ）のような上向き形態ではコンセントボックス本体２の背面にケーブル保持手段Ｅ，Ｆがあることから、コンセントボックス１において、ケーブル保持手段Ｅ，Ｆによりコネクタ等を備えたケーブルＣ２，Ｃ３等を保持できるので、天板用コンセントボックス１の使い勝手が一層向上する。
【００３１】
以上の説明においては、支持手段３を天板１１の端部に取り付ける天板用コンセントボックス１の例を示したが、図１０の斜視図に示すように、貫通穴１１Ａを利用して支持手段３を天板１１に取り付けてもよい。
【符号の説明】
【００３２】
１  天板用コンセントボックス
２  コンセントボックス本体
２Ａ，２Ｂ  位置決め凹部
２Ｃ，２Ｄ  逃がし穴
３  支持手段
４  上支持部材
４Ａ  位置決め凸部
４Ｂ  通し穴
４Ｃ  段部
５  下支持部材（クランプ金具）
５Ａ  ねじ穴
６  ローレットビス
７  係止穴
８  弾性係止片
９  係止凸部
９Ａ  傾斜面
１０  机（天板を具備した家具）
１１  天板
１１Ａ  貫通穴
１２  脚
１３  袖引出し
１３Ａ  上段引出し
１３Ｂ  中段引出し
１３Ｃ  下段引出し
１４  センター引出し
Ａ  嵌合凹部
Ｂ  嵌合凸部
Ｃ１，Ｃ２，Ｃ３  ケーブル
Ｄ  押圧操作片
Ｅ，Ｆ  ケーブル保持手段
Ｇ  プラグ抜差し面
Ｈ  連結手段
ｈ１  上側水平板
ｈ２  下側水平板
Ｉ  位置決め手段
Ｊ，Ｋ  角部
Ｒ１  コンセントボックス本体の背面
Ｒ２  支持手段の背面
Ｓ  差込み口
ｖ  垂直板
【図１】
2017091668.tif 000003
【図２】
2017091668.tif 000004
【図３】
2017091668.tif 000005
【図４】
2017091668.tif 000006
【図５】
2017091668.tif 000007
【図６】
2017091668.tif 000008
【図７】
2017091668.tif 000009
【図８】
2017091668.tif 000010
【図９】
2017091668.tif 000011
【図１０】
2017091668.tif 000012